(57)【要約】【課題】利用者が持参した記録媒体の画像データを印刷する画像出力装置でおいて、画像処理用パラメータファイルをシステム起動時にネットワークを介して適切に取得することを可能とする画像出力装置を提供する。【解決手段】画像出力装置１は、システム起動時にネットワーク５を介してサーバ３から最新の画像処理用パラメータファイルを取得し、取得した画像処理用パラメータファイルが最新でなかったり、適さない場合には、従来の画像処理用パラメータファイルを継続して使用する。画像処理用パラメータファイルは、明るさ補正や赤目補正等の画像調整用のパラメータや、個々のプリンタ用の画像調整パラメータであり、画像出力装置１とはネットワーク５で接続されたサーバ３でその更新処理を行う。【選択図】図４
2008311892.tif 000002
【特許請求の範囲】
【請求項１】
ネットワークを介してサーバと接続された画像出力装置であって、
記録媒体に記録された画像データを入力する画像入力手段と、
前記画像データを保持する保持手段と、
前記保持手段により保持されている前記画像データの画像処理を行う画像処理手段と、
前記画像処理手段によって処理された前記画像データを印刷する印刷手段と、
前記画像出力装置の起動時に、前記画像処理手段、前記印刷手段で使用するパラメータを、前記サーバから前記ネットワークを介して取得するパラメータ取得手段と、
を有することを特徴とする画像出力装置。
【請求項２】
前記パラメータ取得手段は、既存の前記パラメータを一旦退避したうえ、前記サーバから前記ネットワークを介して新規のパラメータを取得し、前記新規のパラメータが最新のものである場合には、前記既存のパラメータと置き換え、前記新規のパラメータが最新でない場合には、一旦退避した前記既存のパラメータを戻すことを特徴とする請求項１記載の画像出力装置。
【請求項３】
前記パラメータは、画像解析用データ、画像補正用データ、画像出力用データであることを特徴とする請求項１記載の画像出力装置。
【請求項４】
コンピュータを請求項１から請求項３の画像出力装置として機能させることを特徴とするプログラム。
【請求項５】
画像出力装置とサーバがネットワークで接続された画像出力システムであって、
前記画像出力装置は、
記録媒体に記録された画像データを入力する画像入力手段と、
前記画像データを保持する保持手段と、
前記保持手段により保持されている前記画像データの画像処理を行う画像処理手段と、
前記画像処理手段によって処理された前記画像データを印刷する印刷手段と、
前記画像出力装置の起動時に、前記画像処理手段、前記印刷手段で使用するパラメータを、前記サーバから前記ネットワークを介して取得するパラメータ取得手段と、を有し、
前記サーバは、前記画像処理手段、前記印刷手段で使用するパラメータを格納する更新パラメータ格納手段を有することを特徴とする画像出力システム。
【請求項６】
前記パラメータ取得手段は、既存の前記パラメータを一旦退避したうえ、前記更新パラメータ格納手段により前記サーバに格納されている新規のパラメータを前記ネットワークを介して取得し、前記新規のパラメータが最新のものである場合には、前記既存のパラメータと置き換え、前記新規のパラメータが最新でない場合には、一旦退避した前記既存のパラメータを戻すことを特徴とする請求項５記載の画像出力システム。
【発明の詳細な説明】
【技術分野】
【０００１】
本発明は、利用者が持参した記録媒体の画像データを印刷する画像出力装置に関し、更に詳しくは、画像処理用パラメータファイルをシステム起動時にネットワークを介して適切に取得することを可能とする画像出力装置に関する。
【背景技術】
【０００２】
近年、利用者が持ち込んだ記録媒体に記録されているデジタルカメラの画像データをプリントすることができる比較的小規模の画像プリントシステム（画像出力装置）が実用化されている（特許文献１）。
画像出力装置は、高品質の画質や色味の印画物を出力する必要があり、そのために画像処理プログラム等を更新可能にした画像処理装置が提案されている（特許文献２）。
【特許文献１】特開２００４−２６８４３１号公報
【特許文献２】特開２００６−１８６８２２号公報
【発明の開示】
【発明が解決しようとする課題】
【０００３】
特許文献２は、画像処理装置をサーバとネットワークを介して接続し、画像処理プログラムや画像処理に必要なパラメータを、画像処理装置の起動時にダウンロードする方法を開示している。この画像処理装置では、装置の非稼動時には、ダウンロードした画像処理プログラムやパラメータを消去する方法を採っている。
【０００４】
しかしながら、前記の方法では、画像処理装置の起動時にサーバから最新の適切な画像処理プログラムやパラメータがダウンロードできない場合も考えられ、この場合、画像処理プログラムやパラメータが取得できず画像処理ができないという問題が生じる可能性がある。
また、サーバ側で画像処理プログラムやパラメータの更新を行う場合に、誤って古いものが残り、古い画像処理プログラムやパラメータが起動時にダウンロードされるという問題が生じうる。
【０００５】
本発明は、このような問題に鑑みてなされたもので、その目的とするところは、利用者が持参した記録媒体の画像データを印刷する画像出力装置でおいて、画像処理用パラメータファイルをシステム起動時にネットワークを介して適切に取得することを可能とする画像出力装置を提供することである。
【課題を解決するための手段】
【０００６】
前述した課題を解決するための第１の発明は、ネットワークを介してサーバと接続された画像出力装置であって、記録媒体に記録された画像データを入力する画像入力手段と、前記画像データを保持する保持手段と、前記保持手段により保持されている前記画像データの画像処理を行う画像処理手段と、前記画像処理手段によって処理された前記画像データを印刷する印刷手段と、前記画像出力装置の起動時に、前記画像処理手段、前記印刷手段で使用するパラメータを、前記サーバから前記ネットワークを介して取得するパラメータ取得手段と、を有することを特徴とする画像出力装置である。
【０００７】
前記パラメータ取得手段は、既存の前記パラメータを一旦退避したうえ、前記サーバから前記ネットワークを介して新規のパラメータを取得し、前記新規のパラメータが最新のものである場合には、前記既存のパラメータと置き換え、前記新規のパラメータが最新でない場合には、一旦退避した前記既存のパラメータを戻す。
ここで、パラメータは、画像解析用データ、画像補正用データ、画像出力用データである。
【０００８】
画像処理装置の起動時に、パラメータ取得手段は、まず、画像処理装置が持っている既存のパラメータを一旦退避したうえで、サーバからネットワークを介して新規のパラメータを取得する。そして、新規のパラメータが最新のものであるか否かを確認したうえ、最新のものである場合には、前記既存のパラメータと置き換える。一方、新規のパラメータが最新でない場合には、退避しておいた既存のパラメータを元に戻し、そのまま使わせる。
【０００９】
画像処理装置の起動時に、パラメータ取得手段により最新のパラメータを画像処理装置に装備した後、画像出力装置は、画像入力手段により、記録媒体に格納されている画像データを読み込み、保持手段により保持したうえ、画像処理手段により、最新のパラメータを使用した画像処理を施し、印刷手段により、画像処理を施された画像データが印刷出力される。
【００１０】
第２の発明は、コンピュータを請求項１から３の画像出力装置として機能させることを特徴とするプログラムである。
【００１１】
第３の発明は、画像出力装置とサーバがネットワークで接続された画像出力システムであって、前記画像出力装置は、記録媒体に記録された画像データを入力する画像入力手段と、前記画像データを保持する保持手段と、前記保持手段により保持されている前記画像データの画像処理を行う画像処理手段と、前記画像処理手段によって処理された前記画像データを印刷する印刷手段と、前記画像出力装置の起動時に、前記画像処理手段、前記印刷手段で使用するパラメータを、前記サーバから前記ネットワークを介して取得するパラメータ取得手段と、を有し、前記サーバは、前記画像処理手段、前記印刷手段で使用するパラメータを格納する更新パラメータ格納手段を有することを特徴とする画像出力システムである。
前記パラメータ取得手段は、既存の前記パラメータを一旦退避したうえ、前記更新パラメータ格納手段により前記サーバに格納されている新規のパラメータを前記ネットワークを介して取得し、前記新規のパラメータが最新のものである場合には、前記既存のパラメータと置き換え、前記新規のパラメータが最新でない場合には、一旦退避した前記既存のパラメータを戻すことが望ましい。
【発明の効果】
【００１２】
本発明によれば、画像処理用パラメータファイルをシステム起動時にネットワークを介して適切に取得することが可能になる。
【発明を実施するための最良の形態】
【００１３】
以下、図面に基づいて本発明の好適な実施形態について詳細に説明する。
まず、図１を参照しながら、本発明の実施の形態に係る画像出力システムのシステム構成について説明する。
図１は、画像出力システムの構成を示すブロック図である。
【００１４】
画像出力システムは、画像出力装置１とサーバ３から成り、それらがネットワーク５を介して接続された構成を採る。ネットワーク５は、無線通信ネットワークあるいは公衆回線ネットワーク等であり、その種類は問わない。
画像出力装置１は、画像データ読込手段１０１、プリント手段１０３、プリント注文入力手段１０５、課金手段１０９、保守手段１０９、通信手段１１１等を備える。
【００１５】
画像データ読込手段１０１は、予め画像データが記録された入力メディア１２１から画像データを取得する。
入力メディア１２１は、例えば、スマートメディア、コンパクトフラッシュ（登録商標）、ミニＳＤ（secure digital）カード、ＳＤメモリカード、メモリスティック、コンパクトディスク等である。
尚、本実施の形態では、画像データ読込手段１０１として、入力メディア１２１から画像データを読み取る手段のみを示しているが、スキャナ装置や撮影装置を装備し、スキャナ装置により画像を読み取る手段や、被写体をデジタルカメラ等の撮影装置により撮像し、画像データを読み取る手段を備えるようにしてもよい。
【００１６】
プリント手段１０３は、画像データを印刷する高解像度カラープリンタであり、プリント物１２３を印刷する。昇華型あるいはインクジェット型など、プリンタの方式は問わない。プリント物１２３は、デジタルカメラ画像デジタルカメラ画像等の写真や、シールプリント、はがき等である。
【００１７】
利用者は、プリント注文入力手段１０５を通じて、印刷を注文する画像データを選択する。プリント注文入力手段１０５は、例えば、液晶ディスプレイやＣＲＴ（cathode-ray tube）等の表示手段と一体化されたタッチパネルや、キーボード、マウス、トラックボール等の各種ポインタを用いることができる。
プリント注文入力手段１０５は、画像データ読取手段１０１によって取得された画像データのサムネイル画像を表示し、プリント枚数やプリントサイズの指定を可能にする。利用者は、タッチパネルや各種ポインタを使用して、印刷注文する画像データの選択、プリント枚数やプリントサイズの指定を行うことができる。
【００１８】
課金手段１０７は、利用者によるプリント物の注文内容に応じた料金を算出し、利用者に入金を要求する。通常、この課金手段１０７による利用者の入金が完了してからプリント手段１０３が起動され、注文された画像データの印刷を開始する。
【００１９】
保守手段１０９は、画像出力装置１の保守を行うもので、プリント物１２３の価格の設定や環境設定、ハードウエアの保守や、さまざまなログデータや統計情報等の処理、およびソフトウエアやパラメータの更新処理等を行う。
パラメータは、画像解析用データ、画像補正用データ、画像出力用データ等よりなる。画像解析用データは、画像データに人物、風景等が含まれるか否かを判断するためのデータである。また、画像補正用データは、画像解析データによって取得した解析結果に適した補正を画像データに施すためのデータである。さらに、画像出力用データは、最適な出力結果を得るための色変換テーブルなどを含むデータである。
【００２０】
通信手段１１１は、ネットワーク５等を介して画像処理装置１以外のサーバ等と通信を行うための処理を実行する。例えば、本発明における画像処理パラメータ等の更新処理は、保守手段１０９が通信手段１１１を通じて処理する。これについては後述する。
【００２１】
一方、サーバ３は、更新パラメータ格納手段３１を有する。更新パラメータ格納手段３１は、パラメータの更新処理を行い、サーバ３内に格納しておく。
サーバ３は、例えば、画像出力装置１のメーカーや、複数台の画像出力装置１を管理保守する保守会社等に設置される。
【００２２】
次に、図２を参照しながら、画像出力装置１の外観構成について説明する。図２は、画像出力装置１の概略斜視図である。
【００２３】
図２に示すように、画像出力装置１の上部正面には、タッチパネル付きの液晶ディスプレイ等のディスプレイ画面２０１が配置されている。タッチパネル付きディスプレイ２０１は、操作の案内や操作の状況、読み込んだ画像データのサムネイル画像表示等を表示する表示手段としての機能を持つ。
【００２４】
タッチパネル付きディスプレイ２０１の下部には、メディア投入口２０３が設けられる。メディア投入口２０３は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、複数の挿入口が１箇所にまとめて配置されている。
また、画像出力装置１の筐体内には、上記の各記録媒体の挿入口に対応して、それぞれの媒体の読取・書込み装置の本体（図示しない）が設置されている。各挿入口には、料金の徴収が完了するまで記録媒体を取り出せないようにシャッター（図示しない）を備えてもよい。
【００２５】
画像出力装置１の下段部には、料金投入口（硬貨投入口２０５、紙幣挿入口２０７）、つり銭返却口２０９、レシート取出口２１５、プリント物取出口２１１、メンテナンスキー２１３、ドア開閉キー２１７等がそれぞれ配置されている。
【００２６】
料金投入口（２０５、２０７）、つり銭返却口２０９、レシート取出口２１５は、課金手段として機能する。
利用者は、硬貨投入口２０５に硬貨を投入したり、紙幣挿入口２０７に紙幣を挿入することにより料金を支払う。釣銭がある場合にはつり銭返却口２０９から放出される。
また、料金徴収後、徴収金額や注文内容等が印刷されたレシートがレシート取出口２１５から放出される。画像出力装置１の筐体内には、レシート取出口２１５に対応してレシート印刷用プリンタが設けられている。
【００２７】
プリント物取出口２１１からは印刷済みのプリント物が放出される。図２では、プリント物取出口２１１が３つ装備されている（２１１−１、２１１−２、２２１−３）。通常、画像出力装置１の筐体内には、複数枚の画像プリントを同時に行えるよう複数のプリンタ本体（図示しない）がプリント物取出口２１１につながる位置に設置されている。図２の場合、３台のプリンタに対応して３つのプリント物取出口（２１１−１、２１１−２、２１１−３）を備えている。
【００２８】
利用者は、タッチパネル付きディスプレイ２０１に設けられたタッチパネルにより画像の選択やプリントの実行を指示し、指示に従ってプリンタ本体によって印刷され、プリント物取出口２１１から放出されるプリント物１２３を受け取る。
【００２９】
メンテナンスキー２１３は、利用者が画像出力装置１を利用可能な運転モードと、管理者が画像出力装置１のメンテナンスや設定、レシートの再印刷等を行う管理モードを切り替えるキーである。
【００３０】
また、画像出力装置１の筐体内には、図示しないが、画像出力装置１の各構成部分を制御するための制御部を含むパソコンや、電圧の変換を行う電源ボックス、停電時に制御部のＣＰＵやハードディスク等の破損を防ぐ無停電電源装置等が設けられる。
【００３１】
次に、図３を参照しながら、画像出力装置１のハードウエア構成について説明する。
画像出力装置１は、制御部３０１、記憶部３０２、入出力部３０３（ＣＤ−ＲＯＭドライブ装置、キーボード、マウス等）、通信部３０４、各種メディア読取部３０５、シャッター３０６、モニタ３０７（タッチパネル付き）、コインメック３０８、ビルバリ３０９、レシートジャーナル処理部３１０、プリンタ３１１等がバス３１２を介して接続される。
【００３２】
制御部３０１は、プログラムの実行を行うＣＰＵ（central processing
unit）と、プログラム命令あるいはデータ等を格納するためのＲＡＭ(random access memory)、ＲＯＭ(read only memory)等で構成される。制御部３０１は、記憶部３０２等に格納されたプログラムに従って、バス３１２を介して接続された各装置を駆動制御する。
【００３３】
記憶部３０２には、各構成部分を駆動制御するプログラム、例えば、画像入力プログラム、シャッターの開閉制御プログラム、課金処理プログラム、後述するプリンタ制御用プログラム、レシート印刷処理プログラム、保守プログラム等のプログラムや、画像データ、各種制御データ等が格納されている。
【００３４】
これらのプログラム・コードは、制御部３０１により必要に応じて読み出され、ＲＡＭに移され、ＣＰＵに読み出されて各種機能として実行される。
【００３５】
入出力部３０３（ＣＤ−ＲＯＭドライブ装置、キーボード、マウス等）は、制御部３０１のＲＯＭや記憶部３０２に格納されているプログラムや情報を更新したり、画像出力装置１の動作等の設定を行う画像出力装置１のメンテナンス時に用いられる。メンテナンスキー２１３により管理モードに切り替えて、入出力部３０３にプログラム更新用のＣＤ−ＲＯＭを挿入し、データの書き換えを行ったり、設定データを入力することによりメンテナンスを実行する。
【００３６】
通信部３０４は、インターネットやＰＨＳ（personal handyphone
system）等の通信機能を持ち、ネットワーク５に接続可能である、画像出力装置１の各種ログ情報や統計情報等を管理会社に送信したり、プログラムやパラメータの更新時にそれらを受信したりする。
【００３７】
各種メディア読取部３０５は、画像入力機能の役割を果たす。シャッター３０６は、各記録媒体挿入口に設けられ、記録媒体の挿入口を開閉し、読取処理の最中や、課金処理が完了するまで、記録媒体を取り出せないようにする。
【００３８】
利用者は、モニタ３０７に表示された操作案内に従って、モニタ３０７に設置されたタッチパネルに触れることにより、画像入力時の画像選択や、プリント指示、プリント物出力までの一連の操作を行える。
【００３９】
コインメック３０８、ビルバリ３０９、レシートジャーナル処理部３１０は、課金機能の役割を果たす。コインメック３０８は硬貨投入口２０５に対応して画像出力装置１の内部に設けられ、硬貨の入出力を管理する。また、ビルバリ３０９は、紙幣挿入口２０７に対応して画像出力装置１の内部に設けられ、紙幣の入出力を管理する。また、レシートジャーナル処理部３１０は、レシート取出口２１５に対応して画像出力装置１の内部に設けられ、レシート印刷を行う。
【００４０】
また、プリンタ３１１は、利用者により選択され、プリント指示が行われた画像データの印刷出力処理を行う。画像出力装置１には、複数枚の画像を同時に印刷し、印刷時間の短縮を図るため、複数台のプリンタ３１１（同図ではプリンタ１（３１１−１）、プリンタ２（３１１−２）、プリンタ３（３１１−３）の３台、）が備えられる。
【００４１】
次に、サーバ３のハードウエア構成について説明する。
図４は、サーバ３のハードウエア構成図である。
サーバ３は、例えば、制御部３１、入出力インタフェース３３、入力部３５、表示部３７、記憶部３９、通信部４１、データベース４５等からなり、それらがバス４３により接続された構成をとる。
【００４２】
制御部３１は、プログラムの実行を行うＣＰＵ（central processing unit）と、プログラム命令あるいはデータ等を格納するためのＲＡＭ(random access
memory)、ＲＯＭ(read only memory)等で構成される。制御部３１は、記憶部３９等に格納されたプログラムに従って、バス４３を介して接続された各装置を駆動制御するとともに、画像処理用パラメータファイルの更新管理等を実行する。
【００４３】
記憶部３９には、画像処理用パラメータファイルの更新管理等の実行プログラムと、各構成部分を駆動制御するプログラム各種制御データ等が格納されている。
これらのプログラム・コードは、制御部３１により必要に応じて読み出され、ＲＡＭに移され、ＣＰＵに読み出されて各種機能として実行される。
【００４４】
入出力インタフェース３３には、プリンタ装置やＣＤ−ＲＯＭ駆動装置等が接続される。
入力部３５は、キーボードやマウス等による入力装置の処理、表示部３７は、ディスプレイ装置等の表示装置の処理を実行する。
【００４５】
通信部４１は、インターネット等の通信機能を持ち、ネットワーク５を介して、サーバ３と画像出力装置１を接続する機能を持つ。
データベース４５は、ハードディスク装置等で構成され、画像処理用パラメータファイルを格納管理するデータベースとして機能する。
【００４６】
次に、図５に沿って、画像出力装置１の動作について説明する。
図５は、画像出力装置１の動作の流れを示すフローチャートである。
【００４７】
画像出力装置１は、まず、電源投入等によりシステム稼動を判断する（ステップ５０１）。システム稼動が確認された場合（ステップ５０１のＹｅｓ）、本発明の中心である画像処理用パラメータの取得処理を実行する（ステップ５０２）。
【００４８】
ここで、画像処理用パラメータ取得処理（ステップ５０２）を詳細に説明する。
図６は、画像処理用パラメータ取得処理（ステップ５０２）の流れを示すフローチャートである。
【００４９】
まず、制御部３０１は、画像処理装置１の記憶部３０２に記録されている従来の画像処理用パラメータファイルを退避する処理を行う（ステップ６０１）。
この従来の画像処理用パラメータファイルは、前回のシステム稼動時まで使用されていたファイルであり、何らかの障害により新規の画像処理用パラメータファイルが使用できない場合を想定してここで退避しておく。
図７（ａ）に示すように、画像処理装置１の記憶部３０２の領域Ｉに通常使用するパラメータファイルが格納されるものとする。ここで前回まで使用されていた画像処理用パラメータファイルをパラメータファイルＡとする。
このパラメータファイルＡを記憶部３０２の領域ＩＩに移動する。
【００５０】
次に、制御部３０１は、ネットワーク５を介してサーバ３にアクセスし、サーバ３にパラメータファイルの送信要求を送る（ステップ６０２）。
このとき、制御部３０１は、画像出力装置１のプリンタ３１１やインクのロット番号等の情報を送るようにしてもよい。
サーバ３は、この送信要求を受信し、パラメータファイルの送信が可能か否かを示す信号を画像出力装置１に送信する。例えば、パラメータファイルの更新処理中等であったり、サーバ３がダウン状態である場合、ネットワークの故障時等にはパラメータの送信は不可能である。
【００５１】
サーバ３からパラメータファイルの送信が可能な場合（ステップ６０３のＹｅｓ）には、制御部３０１は、サーバ３にアクセスし、画像出力装置１の状況に合ったパラメータファイルを取得し、記憶部３０２の領域Ｉに格納する（ステップ６０４、図７（ｂ））。サーバ３から新たに取得したパラメータファイルはパラメータファイルＢとする。
このとき、サーバ３の制御部３１は画像出力装置１の制御部３０１からのアクセスにより、データベース４５に格納されているパラメータファイルをネットワーク５を介して画像出力装置１に送る。
【００５２】
サーバ３は、画像出力装置１のメーカーや保守管理会社等に設置されており、画像出力装置１の画像処理（明るさ補正や赤目補正、プリンタごとの画像調整用プロファイル等）用のパラメータを更新管理し、データベース４５に保存している。
例えば、プリンタの入れ替えや、インクのロット等の変化により、画像処理用パラメータは状況に合うように更新されることが望ましい。
【００５３】
次に、制御部３０１は、新規に得たパラメータファイルＢのファイル作成日時やバージョン情報等の情報と、領域ＩＩに退避してあるパラメータファイルＡの情報を比較する（ステップ６０５）。
情報には、例えば、このほか、パラメータファイルＢに適合するプリンタ番号やインクのロット番号等を含めるようにしてもよい。これによって、更新情報が最新か否か、画像出力装置１のプリンタ３１１やインクに合うか否かを判定することが可能になる。
【００５４】
パラメータファイルＢが最新である場合（画像出力装置１に適する場合）（ステップ６０６のＹｅｓ）、記憶部３０２の領域Ｉに格納したサーバ３から送信されたパラメータファイルＢを使用することとし、パラメータファイルの更新が成功したことを示すためにフラグＳｕを１にしておく（ステップ６０７、図７（ｃ−１））。
【００５５】
一方、パラメータファイルＢが最新でない場合（画像出力装置１に適していない場合）（ステップ６０６のＮｏ）、および、ステップ６０３でサーバ３からのパラメータファイル送信が不可能な場合（ステップ６０３のＮｏ）には、記憶部３０２の領域ＩＩに退避してある従来のパラメータファイルＡを使用することとし、領域Ｉに移動する（ステップ６１１、図７（ｃ−２））。
そして、パラメータファイルが更新されなかったことを示すためにフラグＳｕを０にしておく（ステップ６１２）。
【００５６】
以上の処理により画像処理用パラメータ取得処理（ステップ５０２）が完了する。
画像処理用パラメータ取得処理（ステップ５０２）が完了すると、画像出力装置１の制御部３０１は、通常の画像出力装置１の処理、すなわち、利用者が持参する入力メディア１２１に格納されている画像を、利用者の注文に応じて出力する印刷する処理を実行する。
【００５７】
画像出力装置１の制御部３０１は、メニュー画面を表示し、入力メディア１２１の種類を入力させ（ステップ５０３）、入力メディア１２１をメディア投入口２０３に挿入させ、画像データ読込手段１０１により、各種メディア読取部３０５の当該入力メディア１２１に適合するメディア読取部を起動して挿入された入力メディア１２１の画像データを取得する（ステップ５０４）。
取得された画像データは、記憶部３０２の画像データ領域４０１に格納される。
【００５８】
次に、制御部３０１は、プリント注文入力手段１０５により、取得された画像データのサムネイル画像をモニタ３０７（２０１）に表示し、利用者にプリントする画像の選択と、プリント枚数の設定を行わせる（ステップ５０５）。
さらに、プリントサイズの指定や、印刷させる画像に対する明るさや赤目補正等の画像調整の指定を行なわせる（ステップ５０６）。
【００５９】
プリント注文入力手段（１０５）による注文処理が完了すると、次に、制御部３０１は、課金手段１０７を起動し、料金を計算し、モニタ３０７（２０１）に表示し、利用者に代金の投入を促す（ステップ５０７）。
【００６０】
利用者が料金を硬貨投入口２０５や紙幣挿入口２０７から投入し、投入金額が合計金額を上回ると、制御部３０１は、プリント手段１０３を起動し、プリント処理を開始し、印刷物をプリント物取出口２１１に出力する（ステップ５０８）。
【００６１】
プリント処理が完了すると、課金手段１０７により、レシートが印刷され、レシート取出口２１５に出力される（ステップ５０９）。
以上の処理により、一連の画像出力処理が完了する。
【００６２】
次に、制御部３０１は、システム稼動を終了するか否かを判断し、稼動を終了する場合（ステップ５１０のＹｅｓ）には処理を終了する。
一方、システム稼動を継続する場合（ステップ５１０のＮｏ）には、システム起動時の画像処理用パラメータ取得処理５０２でパラメータファイルがうまく更新されたか否かを判定する（ステップ５１１）。
フラグＳｕが１の場合には、システム起動時のパラメータ更新が成功したことを意味し、ステップ５０３に戻り、通常の画像出力装置１の処理を継続する。
一方、フラグＳｕが０の場合には、システム起動時のパラメータ更新が成功しなかったことを意味し、この場合には、ステップ５０２の画像処理用パラメータ取得処理を再度実行するようにする。
【００６３】
以上の処理により、画像出力装置１の状況に合った最新の画像処理パラメータファイルを、画像出力装置１ごとに手作業で更新することなく、ネットワーク５を介して取得することが可能となり、最新でない場合や、ネットワーク５あるいはサーバ３に障害がある場合には従来の画像処理パラメータファイルを継続して使用することが可能になる。
【００６４】
尚、本発明は、前述した実施の形態に限定されるものではなく、種々の改変が可能であり、それらも、本発明の技術範囲に含まれる。
【図面の簡単な説明】
【００６５】
【図１】本実施の形態に係る画像出力装置１の構成を示すブロック図
【図２】画像出力装置１の外観斜視図
【図３】画像出力装置１のハードウエア構成図
【図４】サーバ３のハードウエア構成図
【図５】画像出力装置１の動作の流れを示すフローチャート
【図６】画像処理用パラメータ取得処理の流れを示すフローチャート
【図７】記憶部３０２の説明図
【符号の説明】
【００６６】
１………画像出力装置
１０１………画像データ読取手段
１０３………プリント手段
２０１、３０７………タッチパネル付ディスプレイ（モニタ）
２０３………メディア投入口
３０１………制御部
３０３………記憶部
３１１………プリンタ
【図１】
2008311892.tif 000003
【図２】
2008311892.tif 000004
【図３】
2008311892.tif 000005
【図４】
2008311892.tif 000006
【図５】
2008311892.tif 000007
【図６】
2008311892.tif 000008
【図７】
2008311892.tif 000009